(57)【要約】【課題】ＰＯＮシステムにおいて、マルチキャストサービスの円滑な提供を実現するための技術を提供する。【解決手段】宅側装置（ＯＮＵ）２は、端末装置５の受信状態に応じたマルチキャストデータを受動的光ネットワーク（ＰＯＮ回線３）から受けると、端末装置５にマルチキャストデータを転送する。端末装置５にマルチキャストデータの転送を実行できるためのＯＮＵ２の転送状態は、局側装置（ＯＬＴ）１ａにおいて管理されている。ＯＬＴ１ａにおいて冗長切換が生じると、ＯＮＵ２は、ＯＮＵ２の転送状態を、端末装置５の受信状態に整合させる。【選択図】図１
2015088815.tif 000002
【特許請求の範囲】
【請求項１】
受動的光ネットワークを介して局側装置と通信を行なうための宅側装置であって、
端末装置の受信状態に応じたマルチキャストデータを前記受動的光ネットワークから受けると、前記端末装置に前記マルチキャストデータを転送する受信部と、
前記局側装置において前記端末装置の前記受信状態に基づいて管理されている、前記端末装置への前記マルチキャストデータの転送を実行できるための前記宅側装置の転送状態を、前記宅側装置に設定する制御部とを備え、
前記局側装置が冗長化されている場合、前記局側装置において冗長切換が生じると、前記制御部は、前記宅側装置の前記転送状態を、前記端末装置の前記受信状態に整合させる、宅側装置。
【請求項２】
前記宅側装置は、
前記端末装置から送られた、前記端末装置からの前記受信状態を表わすメッセージを、前記受動的光ネットワークを介して前記局側装置に送信するための送信部をさらに備え、
前記制御部は、前記局側装置の前記冗長切換の間に前記端末装置から前記メッセージが送信された場合には、前記メッセージを集約し、
前記局側装置の前記冗長切換の後に、前記送信部は、前記制御部によって集約された前記メッセージを送信する、請求項１に記載の宅側装置。
【請求項３】
前記宅側装置は、
前記宅側装置の内部のいずれかに設けられ、前記端末装置の前記受信状態に関する情報を記憶して、前記端末装置からの前記メッセージに応じて、前記情報を更新する記憶部をさらに備え、
前記制御部は、前記記憶部に記憶される前記情報に基づいて、前記複数の前記メッセージを集約する、請求項２に記載の宅側装置。
【請求項４】
前記制御部は、前記局側装置の前記冗長切換の後に、前記端末装置に前記受信状態を問合わせて、前記端末装置からの前記受信状態についての回答に基づく、前記冗長切換後の前記局側装置からの指示に応じて前記転送状態を設定する、請求項１から請求項３のいずれか１項に記載の宅側装置。
【請求項５】
局側装置と、
宅側装置と、
前記局側装置と前記宅側装置とを接続する受動的光ネットワークとを備え、
前記局側装置は、前記宅側装置に収容される端末装置の受信状態に基づいて、前記宅側装置が前記端末装置に前記マルチキャストデータの転送を実行できるための前記宅側装置の転送状態を管理し、
前記宅側装置は、前記局側装置に管理されている前記転送状態を前記宅側装置に設定し、
前記局側装置が冗長化されている場合、前記局側装置において冗長切換が生じると、前記宅側装置は、前記宅側装置の前記転送状態を、前記端末装置の前記受信状態に整合させる、ＰＯＮシステム。
【請求項６】
受動的光ネットワークを介して局側装置と通信を行なうための宅側装置の制御方法であって、
前記局側装置において、前記宅側装置に収容される端末装置の受信状態に基づいて管理されている、前記端末装置への前記マルチキャストデータの転送を実行するための前記宅側装置の転送状態を、前記宅側装置に設定するステップと、
前記局側装置が冗長化されている場合において、前記局側装置において冗長切換が開始されたことを検出するステップと、
前記局側装置において前記冗長切換が終了したことを検出するステップと、
前記冗長切換の終了により、前記宅側装置の前記転送状態を、前記端末装置の前記受信状態に整合させるステップとを備える、宅側装置の制御方法。
【発明の詳細な説明】
【技術分野】
【０００１】
本発明は、宅側装置、ＰＯＮ（Passive  Optical  Network）システムおよび宅側装置の制御方法に関する。特に、本発明は、冗長化された局側装置に光回線を介して接続される宅側装置に関する。
【背景技術】
【０００２】
ＦＴＴＨ（Fiber  To  The  Home）を実現する形態のひとつにＰＯＮ（Passive  Optical  Network）がある。今日では、イーサネット（登録商標）技術を適用したＰＯＮであるＥＰＯＮが、ＦＴＴＨサービスに広く利用される。
【０００３】
通信障害への堅牢性を高めたＰＯＮシステムの構成がこれまでに提案されている。たとえば非特許文献１（"IEEE P1904.1/D3.4 Draft Standard for Service Interoperability in Ethernet Passive Optical Networks (SIEPON)"、２０１３年４月、ｐ．２３８−２４５）は、冗長化されたＯＬＴ（Optical  Line  Terminal）を有するＰＯＮシステムを開示する。ＯＮＵ（Optical  Network  Unit）は、ＯＬＴからホールドオーバー状態への移行を指示する移行メッセージを受信すると、下りデータの受信は継続する一方で、上りデータの送信を抑制する。
【先行技術文献】
【非特許文献】
【０００４】
【非特許文献１】"IEEE P1904.1/D3.4 Draft Standard for Service Interoperability in Ethernet Passive Optical Networks (SIEPON)"、２０１３年４月、ｐ．２４６
【発明の概要】
【発明が解決しようとする課題】
【０００５】
複数の宅側装置の各々に収容された端末装置に対してマルチキャストデータを配信するための各種の方式が提案されている。たとえば映像データの配信においてこのような方式を利用できる。しかしながら上記文献は、ＯＬＴの冗長切換が生じた場合にもマルチキャストデータの配信を継続して可能にするための構成あるいは方法を示していない。冗長切換によってマルチキャストデータの配信が不可能になった場合には、マルチキャストサービスの低下につながる。
【０００６】
本発明の目的は、ＰＯＮシステムにおいて、マルチキャストサービスの円滑な提供を実現するための技術を提供することである。
【課題を解決するための手段】
【０００７】
本発明のある局面に係る宅側装置は、受動的光ネットワークを介して局側装置と通信を行なうための宅側装置である。宅側装置は、端末装置の受信状態に応じたマルチキャストデータを受動的光ネットワークから受けると、端末装置にマルチキャストデータを転送する受信部と、局側装置において端末装置の受信状態に基づいて管理されている、端末装置へのマルチキャストデータの転送を実行できるための宅側装置の転送状態を、宅側装置に設定する制御部とを備える。局側装置が冗長化されている場合、局側装置において冗長切換が生じると、制御部は、宅側装置の転送状態を、端末装置の受信状態に整合させる。
【０００８】
本発明の他の局面に係るＰＯＮシステムは、局側装置と、宅側装置と、局側装置と宅側装置とを接続する受動的光ネットワークとを備える。局側装置は、宅側装置に収容される端末装置の受信状態に基づいて、宅側装置が端末装置にマルチキャストデータの転送を実行できるための宅側装置の転送状態を管理する。宅側装置は、局側装置に管理されている転送状態を宅側装置に設定する。局側装置が冗長化されている場合、局側装置において冗長切換が生じると、宅側装置は、宅側装置の転送状態を、端末装置の受信状態に整合させる。
【０００９】
本発明のさらに他の局面に係る宅側装置の制御方法は、受動的光ネットワークを介して局側装置と通信を行なうための宅側装置の制御方法である。制御方法は、局側装置において、宅側装置に収容される端末装置の受信状態に基づいて管理されている、端末装置へのマルチキャストデータの転送を実行するための宅側装置の転送状態を、宅側装置に設定するステップと、局側装置が冗長化されている場合において、局側装置において冗長切換が開始されたことを検出するステップと、局側装置において冗長切換が終了したことを検出するステップと、冗長切換の終了により、宅側装置の転送状態を、端末装置の受信状態に整合させるステップとを備える。
【発明の効果】
【００１０】
本発明の上記局面によれば、ＰＯＮシステムにおいて、マルチキャストサービスの円滑な提供を実現することができる。
【図面の簡単な説明】
【００１１】
【図１】本発明の一実施形態に係るＰＯＮシステムの概略構成を示すブロック図である。
【図２】図１に示したＯＮＵの構成を示したブロック図である。
【図３】ＰＯＮシステムにおける、マルチキャストデータの１つの配信方法を説明するためのシーケンス図である。
【図４】ＯＬＴに記憶される、チャネルとグループアドレスとを対応付けるテーブルの例を説明した図である。
【図５】ＯＬＴに記憶される、グループアドレスと宛先ＭＡＣアドレスとを対応付けるテーブルの例を説明した図である。
【図６】本発明の一実施形態に従う、冗長構成を有する光回線ユニットの切換を説明するためのシーケンス図である。
【図７】本発明の第１の実施形態に従う、ＯＮＵの処理を説明するためのシーケンス図である。
【図８】ＯＮＵの内部に記憶されるデータベースの構成の一例を示した図である。
【図９】ＯＮＵによるメッセージの集約処理を説明するフローチャートである。
【図１０】本発明の第２の実施形態に従う、冗長構成を有する光回線ユニットの切換および、切換先の光回線ユニットの設定を説明するためのシーケンス図である。
【図１１】本発明の第２の実施形態に従う、ＯＮＵの処理を説明するフローチャートである。
【図１２】本発明の第３の実施形態に従う、ＯＮＵの処理を説明するためのシーケンス図である。
【図１３】本発明の第３の実施形態に従う、ＯＮＵの処理を説明するフローチャートである。
【発明を実施するための形態】
【００１２】
[本願発明の実施形態の説明]
最初に本発明の実施形態を列記して説明する。
【００１３】
（１）本発明の実施の形態に係る宅側装置は、受動的光ネットワークを介して局側装置と通信を行なうための宅側装置である。宅側装置は、端末装置の受信状態に応じたマルチキャストデータを受動的光ネットワークから受けると、端末装置にマルチキャストデータを転送する受信部と、局側装置において端末装置の受信状態に基づいて管理されている、端末装置へのマルチキャストデータの転送を実行できるための宅側装置の転送状態を、宅側装置に設定する制御部とを備える。局側装置が冗長化されている場合、局側装置において冗長切換が生じると、制御部は、宅側装置の転送状態を、端末装置の受信状態に整合させる。
【００１４】
この構成によれば、局側装置において冗長切換が生じた場合にも、端末装置の受信状態に応じたマルチキャストデータを、宅側装置が端末装置に転送することができる。したがって、ＰＯＮシステムにおいて、マルチキャストサービスの円滑な提供を実現することができる。
【００１５】
「端末装置の受信状態」とは、端末装置がマルチキャストを受信する現在の状態、および、端末装置がこれからマルチキャストを受信しようとする状態の両方を含み得る。
【００１６】
「局側装置が冗長化されている」とは、局側装置の内部の構成が冗長化されている場合、および複数の局側装置が冗長配置されている場合の両方を含み得る。
【００１７】
（２）好ましくは、宅側装置は、端末装置から送られた、端末装置からの受信状態を表わすメッセージを、受動的光ネットワークを介して局側装置に送信するための送信部をさらに備える。制御部は、局側装置の冗長切換の間に端末装置からメッセージが送信された場合には、メッセージを集約する。局側装置の冗長切換の後に、送信部は、制御部によって集約されたメッセージを送信する。
【００１８】
この構成によれば、宅側装置は、端末装置の正確な受信状態を局側装置に伝えることができる。局側装置の冗長切換の間、宅側装置が端末装置からのメッセージをバッファメモリに蓄積する構成が考えられる。しかし、たとえばバッファメモリの容量が小さく、かつメッセージの数が多い場合には、宅側装置は端末装置のメッセージを取りこぼす（失う）可能性がある。端末装置からのメッセージを集約することによって、宅側装置がメッセージを保持するために必要な記憶容量を少なくすることができる。したがって、宅側装置が端末装置のメッセージを取りこぼす確率が小さくなる。その結果、宅側装置は、端末装置の正確な受信状態を局側装置に伝えることができる。
【００１９】
（３）好ましくは、宅側装置は、宅側装置の内部のいずれかに設けられ、端末装置の受信状態に関する情報を記憶して、端末装置からのメッセージに応じて、情報を更新する記憶部をさらに備える。制御部は、記憶部に記憶される情報に基づいて、複数の前記メッセージを集約する。
【００２０】
この構成によれば、宅側装置がメッセージを保持するために必要な記憶容量を少なくすることができる。なお、「記憶部」は、宅側装置内に設けられていればよい。したがって、記憶部は、制御部と一体化されていてもよく、制御部とは独立に設けられていてもよい。
【００２１】
（４）好ましくは、制御部は、局側装置の冗長切換の後に、端末装置に受信状態を問合わせて、端末装置からの受信状態についての回答に基づく冗長切換後の局側装置からの指示に応じて転送状態を設定する。
【００２２】
この構成によれば、局側装置における冗長切換の後には、より短時間で、宅側装置の転送状態を、端末装置の受信状態に整合させることができる。これにより高品質なマルチキャストサービスを提供することができる。
【００２３】
（５）本発明の実施形態に係るＰＯＮシステムは、局側装置と、宅側装置と、局側装置と宅側装置とを接続する受動的光ネットワークとを備える。局側装置は、宅側装置に収容される端末装置の受信状態に基づいて、宅側装置が端末装置にマルチキャストデータの転送を実行できるための宅側装置の転送状態を管理する。宅側装置は、局側装置に管理されている転送状態を宅側装置に設定する。局側装置が冗長化されている場合、局側装置において冗長切換が生じると、宅側装置は、宅側装置の転送状態を、端末装置の受信状態に整合させる。
【００２４】
この構成によれば、局側装置において冗長切換が生じた場合にも、端末装置の受信状態に応じたマルチキャストデータを、宅側装置が端末装置に転送することができる。したがって、ＰＯＮシステムにおいて、マルチキャストサービスの円滑な提供を実現することができる。
【００２５】
（６）本発明の実施の形態に係る宅側装置の制御方法は、受動的光ネットワークを介して局側装置と通信を行なうための宅側装置の制御方法である。制御方法は、局側装置において、宅側装置に収容される端末装置の受信状態に基づいて管理されている、端末装置へのマルチキャストデータの転送を実行するための宅側装置の転送状態を、宅側装置に設定するステップと、局側装置が冗長化されている場合において、局側装置において冗長切換が開始されたことを検出するステップと、局側装置において冗長切換が終了したことを検出するステップと、冗長切換の終了により、宅側装置の転送状態を、端末装置の受信状態に整合させるステップとを備える。
【００２６】
この構成によれば、ＰＯＮシステムにおいて、マルチキャストサービスの円滑な提供を実現することができる。
【００２７】
[本願発明の実施形態の詳細]
以下、図面を参照しつつ、本発明の実施の形態について説明する。以下の説明では、同一または対応する要素には同一の符号を付して、それらについての詳細な説明は繰り返さない。
【００２８】
図１は、本発明の一実施形態に係るＰＯＮシステムの概略構成を示すブロック図である。図１を参照して、ＰＯＮシステム３０１は、ＥＰＯＮとして実現される。この実施の形態に適用可能なＥＰＯＮは、たとえばＧＥ−ＰＯＮ、１０ＧＥ−ＰＯＮ等である。
【００２９】
ＰＯＮシステム３０１は、局側装置（ＯＬＴ）１ａと、光ファイバであるＮ本のＰＯＮ回線１〜Ｎ（３−１〜３−Ｎ）と、Ｎ個の光カプラ４−１〜４−Ｎと、複数の宅側装置（ＯＮＵ）２と、ＯＮＵ２に接続される端末装置５とを備える。なお、Ｎは１以上の整数である（以下も同様）。
【００３０】
ＯＬＴ１ａは、Ｎ本のＰＯＮ回線１〜Ｎに接続されて、このＮ本のＰＯＮ回線を終端する。ＰＯＮ回線（受動的光ネットワーク）１〜Ｎは、光カプラ４−１〜４−Ｎにそれぞれ接続されている。各ＰＯＮ回線は、対応の光カプラおよび光回線３１を介して複数のＯＮＵ２に接続されている。
【００３１】
各ＯＮＵ２は、宅側ネットワーク３２を介して、少なくとも１つの端末装置５と接続される。すなわち各ＯＮＵ２は、端末装置５を収容する。なお、たとえばハブ（ＨＵＢ）を介して、複数の端末装置５を１つのＯＮＵ２に接続することも可能である。
【００３２】
複数のＯＮＵ２の中には、映像を視聴可能な端末装置５が接続された、少なくとも１つのＯＮＵ２が含まれる。当該端末装置５は、視聴チャネルを選択する（切換える）ことができる。このような端末装置５の種類は特に限定されるものではない。
【００３３】
ＯＬＴ１ａは、上位ネットワーク６に接続される。上位ネットワーク６は、ルータ７および映像配信サーバ８を含む。ＯＬＴ１ａは、マルチキャスト通信を用いて、映像配信サーバ８からの映像データを、その映像の視聴を要求する少なくとも１つの端末装置５に配信する。映像データは、マルチキャストデータとして端末装置５に配信される。
【００３４】
ルータ７は、映像配信サーバ８からマルチキャストデータを受信すると、そのマルチキャストデータをＯＬＴ１ａに送信する。ルータ７は、必要に応じてマルチキャストデータを複製してもよい。
【００３５】
ＯＬＴ１ａは、上位ネットワーク６からのマルチキャストデータをＰＯＮ回線３−１〜３−Ｎに送信する。各ＰＯＮ回線に設けられた光カプラはＯＬＴ１ａからの下り光信号を分割する。したがって光カプラにおいて、マルチキャストデータの複数のコピーが作成されて、複数のマルチキャストデータの各々が対応のＯＮＵのポートに送られる。各ＯＮＵ２におけるマルチキャストデータの処理については後に詳細に説明する。
【００３６】
次にＯＬＴ１ａの構成について説明する。ＯＬＴ１ａは、光スイッチ１１ａと、光回線ユニット（ＯＳＵ）１〜Ｎ＋１（１２−１〜１２−Ｎ＋１）と、集線部１３ａと、制御部１４とを含む。
【００３７】
ＯＬＴ１ａは、Ｎ：１の冗長構成を有している。すなわち、Ｎ＋１個のＯＳＵ１２のうち、ＯＳＵ１〜Ｎが運用系（現用）ＯＳＵであり、ＯＳＵ  Ｎ＋１が待機系（予備）ＯＳＵである。ＯＳＵ１〜Ｎの各々は、対応のＰＯＮ回線を終端する。ＯＳＵ  Ｎ＋１は、ＯＳＵ１〜Ｎの各々と代替可能なように構成されている。たとえばＯＳＵ１〜Ｎ＋１は、互いに同一の構成を備えている。なお、ＯＬＴ１ａは、２個以上の待機系ＯＳＵを含んでいてもよい。
【００３８】
光スイッチ１１ａは、制御部１４からの指示に従い、Ｎ＋１個のＯＳＵ１〜Ｎ＋１（１２−１〜１２−Ｎ＋１）と、Ｎ本のＰＯＮ回線１〜Ｎ（３−１〜３−Ｎ）との間の通信経路を切換える。ある運用系ＯＳＵ（たとえば  ＯＳＵ  １）が終端していたＰＯＮ回線（たとえばＰＯＮ回線１）をＯＳＵ  Ｎ＋１が終端するように、光スイッチ１１ａは、その運用系ＯＳＵから待機系ＯＳＵへの切換を実行する。光スイッチ１１ａは、さらに、待機系ＯＳＵから運用系ＯＳＵへの切換を実行してもよい。公知の各種の光スイッチを光スイッチ１１ａに適用することができる。
【００３９】
集線部１３ａは、たとえば、上位ネットワークから受信したマルチキャストデータを適切なＯＳＵに振り分ける。制御部１４は、ＯＬＴ１ａの全体を制御する。
【００４０】
図２は、図１に示したＯＮＵ２の構成を示したブロック図である。図２を参照して、ＯＮＵ２は、制御部２１と、送信部２２と、受信部２３と、記憶部２４とを有する。
【００４１】
送信部２２は、上り方向の通信を行なう。たとえば送信部２２は、宅側ネットワーク３２を通じて端末装置５からのフレームを受信する。このフレームは、制御フレームおよびデータフレームを含み得る。なお、制御フレームは特定の種類のフレームに限定されるものではない。送信部２２は、受け取ったフレームを光信号に変換して、その光信号を光回線３１へ送信する。
【００４２】
受信部２３は、下り方向の通信を行なう。受信部２３は、光回線３１を通じて送られた光信号を受信する。さらに受信部２３は、その光信号を、電気信号の形態のフレームに変換する。受信部２３は、そのフレームのヘッダ部分を読み取る。フレームに含まれるＬＬＩＤ（Logical  Link  ID）がＯＮＵ２のＬＬＩＤに一致するか、またはブロードキャストＬＬＩＤに一致する場合には、受信部２３は、そのフレームを受信する。そうでない場合には、受信部２３は、そのフレームを破棄する。
【００４３】
受信部２３は、受信されたフレームを宅側ネットワーク３２へ送信する。
記憶部２４は、制御部２１によるＯＮＵ２の制御に必要となる各種の情報を記憶する。たとえば、記憶部２４は、端末装置５の現在の受信状態に関する情報を記憶する。図２に示した構成では、記憶部２４は、制御部２１とは独立に設けられている。しかしながら記憶部２４は制御部２１に含められていてもよい。したがって記憶部２４は、宅側装置２の内部のいずれかに設けられていればよい。
【００４４】
制御部２１は、ＯＬＴ１ａから送られた制御フレームを受けて、そのフレームに対応した処理を実行する。さらに、制御部２１は、送信部２２および受信部２３を制御する。
【００４５】
図３は、ＰＯＮシステムにおける、マルチキャストデータの１つの配信方法を説明するためのシーケンス図である。図２および図３を参照して、上位ネットワーク６（映像配信サーバ８およびルータ７）からＯＬＴ１ａに、ある視聴チャネルのコンテンツがマルチキャストデータの形態で送信される。ＯＬＴ１ａは、マルチキャストデータにブロードキャストＬＬＩＤ（Logical  Link  ID）を付与して、当該マルチキャストデータをＰＯＮ回線へ転送する。マルチキャストデータにブロードキャストＬＬＩＤが付されているので、そのマルチキャストデータはすべてのＯＮＵ２へと送られる（Ｓ１０１）。
【００４６】
ＯＮＵ２の配下の端末装置５が当該チャンネルを視聴していない場合は、当該ＯＮＵ２のＭＡＣ（Media  Access  Control）アドレスフィルタが、そのマルチキャストデータを通さないように設定されている。当該マルチキャストデータはＯＮＵ２の受信端において廃棄される。
【００４７】
端末装置５において視聴チャネルが「Ｘ」に設定される。これにより、端末装置５の受信状態が、チャネルＸのマルチキャストデータを受信する状態とされる。端末装置５は、当該チャネルＸの受信状態を表すメッセージ（フレーム）をＯＮＵ２に送信する。このメッセージは、たとえば「Ｊｏｉｎ」と呼ばれるメッセージである。このメッセージの送信プロトコルとして、たとえばＩＰｖ４（Internet  Protocol  version  4）の場合はＩＧＭＰ（Internet  Group  Management  Protocol）を用いることができ、ＩＰｖ６（Internet  Protocol  version  6）の場合はＭＬＤ（Multicast  Listener  Discovery）を用いることができる。
【００４８】
ＯＮＵ２は、端末装置５からメッセージを受信すると、そのメッセージに自己のＬＬＩＤを付与する。ＯＮＵ２は、ＬＬＩＤが付与されたメッセージをＯＬＴ１ａに転送する（Ｓ１０２）。このメッセージは、端末装置５の受信状態を示す情報を含む。たとえばメッセージは、端末装置５において視聴されるチャネルの情報を含んでもよい。また、端末装置５からのメッセージは、後述するグループアドレスの情報を含んでいてもよい。
【００４９】
ＯＬＴ１ａの内部において、端末装置５からのメッセージは、ＯＮＵ２に接続されたＰＯＮ回線を終端する光回線ユニットに送られる。光回線ユニットは、チャネルとグループアドレスとを対応付けるテーブルを記憶する。さらに光回線ユニットは、ＯＮＵ２ごとに、グループアドレスとＭＡＣアドレスとを対応づけて記憶する。
【００５０】
図４は、ＯＬＴ１ａに記憶される、チャネルとグループアドレスとを対応付けるテーブルの例を説明した図である。図４を参照して、チャネル（ＣＨＸ，ＣＨＹ，・・・）とグループアドレス（ＧＸ，ＧＹ，・・・）とは一意に対応付けられている。ＣＨＸ，ＣＨＹ，・・・は、それぞれチャネルＸ，Ｙ，・・・を表す。
【００５１】
図５は、ＯＬＴ１ａに記憶される、グループアドレスと宛先ＭＡＣアドレスとを対応付けるテーブルの例を説明した図である。図７を参照して、＃１，＃２は、ＯＮＵ２の識別子であり、たとえばＬＬＩＤである。ただしＬＬＩＤそのものを識別子として用いるよう限定されず、＃１，＃２は、ＬＬＩＤと対応付けられた識別子でもよい。この識別子をキーにして、マルチキャストのグループアドレス（ＧＸ，ＧＹ，・・・）と、そのグループアドレスに対応付けられた宛先ＭＡＣアドレスとがＯＬＴ１ａ（光回線ユニット）で管理されている。
【００５２】
図３に戻り、ＯＬＴ１ａにおいて、光回線ユニットは、メッセージに含まれる視聴チャネルの情報とＬＬＩＤとを読み取る。光回線ユニットは、ＬＬＩＤによって特定されたＯＮＵ２に対して、ＭＡＣアドレスフィルタの設定を行なう。具体的には、光回線ユニットは、メッセージにより示された視聴チャネルのマルチキャストデータが通るように、そのＯＮＵ２に通知する。この通知には、たとえば拡張ＯＡＭ（Operation,  Administration,  and  Maintenance）フレームを用いることができる（Ｓ１０３）。
【００５３】
ＯＮＵ２は、ＯＬＴ１ａ（光回線ユニット）からの通知（たとえば拡張ＯＡＭフレーム）を受信して、その通知によって指定された宛先ＭＡＣアドレスが付与されたマルチキャストデータを通すように、フィルタリング機能を設定する。フィルタリング機能の設定後、ＯＮＵ２は、フィルタリング機能の設定が終了したことをＯＬＴ１ａに通知する（Ｓ１０４）。
【００５４】
このように、ＯＬＴ１ａは、端末装置５の受信状態に関する情報を含むメッセージを受けることによって、ＯＮＵ２の転送状態を管理する。「ＯＮＵの転送状態」とは、端末装置５に対して、マルチキャストデータの転送を実行できるためのＯＮＵの状態を意味する。
【００５５】
ＯＬＴ１ａは、以後、上位ネットワーク６からマルチキャストデータを受信すると、ブロードキャストＬＬＩＤをマルチキャストデータに付与して、各ＯＮＵ２に、そのマルチキャストデータを送信する。そのマルチキャストデータが、ＯＮＵ２に予め設定された宛先ＭＡＣアドレスと関連付けられたデータである場合には、各ＯＮＵ２は、フィルタリング機能により、そのマルチキャストデータを端末装置５に転送する（Ｓ１０５）。したがって、端末装置５はチャネルＸのコンテンツを視聴することができる。すなわち端末装置５の受信状態に応じたマルチキャストデータが端末装置５に送られる。
【００５６】
図６は、本発明の一実施形態に従う、ＯＬＴの冗長切換を説明するためのシーケンス図である。図６を参照して、まず切換先の光回線ユニット（光回線ユニット（１））がマルチキャスト処理を含むＰＯＮ回線のネットワーク運用を行なっている。光回線ユニット（１）は、第１の光回線ユニットを示し、たとえば運用系ＯＳＵである。
【００５７】
たとえば図３に示されるシーケンスと同様に、端末装置５からのメッセージが光回線ユニット（１）に送られる（Ｓ１０２）。光回線ユニット（１）は、ＯＮＵのＭＡＣアドレスフィルタを設定する（Ｓ１０３）。これにより、チャネルＸのマルチキャストデータが、ＯＮＵ２を通じて端末装置５に送られる（Ｓ１０５）。
【００５８】
ステップＳ１において、光回線ユニット（１）は、マルチキャスト制御処理を停止する。ステップＳ２において、光回線ユニット（１）は、マルチキャスト制御に関する最後の状態および設定パラメータなどの情報を、光回線ユニット（２）に送信する。たとえば光回線ユニット（１）が有する、マルチキャスト状態に関する情報が光回線ユニット（２）へと送信される。光回線ユニット（２）は、第２の光回線ユニットを示し、たとえば予備系ＯＳＵである。
【００５９】
ステップＳ３において、光回線ユニット（２）は、切換準備を行なう。ステップＳ４において、光スイッチ１１ａ（図１を参照）により、ＰＯＮ回線を終端すべき光回線ユニットが、光回線ユニット（１）から光回線ユニット（２）へと切り換えられる。
【００６０】
光回線ユニット（２）がＰＯＮ回線の運用を開始する。以後、光回線ユニット（２）は、光回線ユニット（１）によるマルチキャスト制御処理と同じ処理を実行する。
【００６１】
たとえば、ステップＳ２の処理の後に、端末装置５が視聴チャンネルをＸからＹに変更する。端末装置５からＯＮＵ２を介して、チャネルＸの視聴停止を示すＬｅａｖｅメッセージがＯＬＴ１ａに送信される（Ｓ５）。次に、チャネルＹの視聴を示すＪｏｉｎメッセージがＯＬＴ１ａに送信される（Ｓ６）。
【００６２】
この場合、光回線ユニット（１）から光回線ユニット（２）への切換が終了していないので、光回線ユニット（１）がＬｅａｖｅメッセージおよびＪｏｉｎメッセージを受ける。しかしながら、光回線ユニット（１）はマルチキャスト制御処理を既に停止している。このため、光回線ユニット（１）はＬｅａｖｅメッセージおよびＪｏｉｎメッセージを処理しない。
【００６３】
光回線ユニット（２）は、端末装置５がチャネルを切り換える前の端末装置５の受信状態を、光回線ユニット（１）から引き継ぐ。このため、光回線ユニット（２）は、端末装置５がチャネルＸを選択していると認識する。したがって、光回線ユニット（２）は、ＯＮＵ２に対してＭＡＣアドレスフィルタの設定を変更しない。しかしながら、光回線ユニット（２）が認識する端末装置５の受信状態は、端末装置５の実際の受信状態と異なる。このため、端末装置５の受信状態に対応したマルチキャストデータ、すなわち、チャネルＹのマルチキャストデータがＯＮＵ２でブロックされる（Ｓ７）。
【００６４】
この発明の実施の形態によれば、ＯＬＴ１ａの冗長切換の前後において、マルチキャストデータの送信を継続することができる。以下、具体的な実施の形態について説明する。なお、ＯＬＴ１ａにおける冗長切換が行なわれる前には、図３に示すステップＳ１０１〜Ｓ１０５の処理が実行されているものとする。したがって以後は、ＯＬＴ１ａにおける冗長切換が行なわれる前のＰＯＮシステムの動作について説明を繰り返さない。
【００６５】
＜第１の実施形態＞
図７は、第１の実施形態に従う、ＯＮＵの処理を説明するためのシーケンス図である。図７を参照して、ＯＬＴ１ａでは、光回線ユニット（１）から光回線ユニット（２）への切換えが実行される（ステップＳ１〜Ｓ４）。この間に、端末装置５では、視聴チャネルがＸからＹに変更され、次に、視聴チャネルがＹからＺに変更される。なお、ＯＬＴ１ａにおける冗長切換の間に、端末装置５では、視聴チャネルがＸからＹに変更され、次に、視聴チャネルがＹからＸに戻されてもよい。
【００６６】
視聴チャネルがＸからＹに変更されることにより、端末装置５は、チャネルＸの視聴停止を示すＬｅａｖｅメッセージと、チャネルＹの視聴を示すＪｏｉｎメッセージとを連続的に出力する。次に、視聴チャネルがＹからＺに変更されることにより、端末装置５は、チャネルＹの視聴停止を示すＬｅａｖｅメッセージと、チャネルＺの視聴を示すＪｏｉｎメッセージとを連続的に出力する。
【００６７】
ＯＮＵ２は、上記の４つのメッセージを順次受けて、これらのメッセージを集約する。ＯＬＴ１ａでの光回線ユニットの切換後に、ＯＮＵ２は、集約されたメッセージをＯＬＴ１ａに送信する（Ｓ１１）。具体的には、ＯＮＵ２は、チャネルＸの視聴停止を示すＬｅａｖｅメッセージと、チャネルＺの視聴を示すＪｏｉｎメッセージとを出力する。
【００６８】
光回線ユニット（２）は、ＯＮＵ２からのメッセージを受けて、ＯＮＵ２のＭＡＣアドレスフィルタを設定する（Ｓ１２）。ＯＮＵ２は、フィルタリング機能の設定が終了したことをＯＬＴ１ａに通知する（Ｓ１３）。フィルタリング機能の設定により、ＯＮＵ２（制御部２１）は、ＯＮＵ２の転送状態を、端末装置５の受信状態に整合させる。
【００６９】
ＯＬＴ１ａより、チャネルＺのマルチキャストデータが配信される。ＯＮＵ２は、このマルチキャストデータを通過させて、端末装置５にマルチキャストデータを転送する（Ｓ１４）。
【００７０】
ＯＮＵ２において、記憶部２４（図２を参照）は、端末装置５の受信状態に関する情報を記憶する。制御部２１（図２を参照）は、この情報に基づいて、上記したメッセージの集約処理を実行する。したがって、ＯＮＵ２は、端末装置５からのすべてのメッセージを蓄積する必要はない。端末装置５の受信状態に関する情報は、たとえばデータベースの形式で記憶部２４に記憶される。
【００７１】
図８は、ＯＮＵ２の内部に記憶されるデータベースの構成の一例を示した図である。図８を参照して、ＯＮＵ２の配下の端末装置５について、各チャネル（ＣＨＸ，ＣＨＹ，・・・）と、Ｊｏｉｎを受信したか、Ｌｅａｖｅを受信したかを示すフラグ（「Ｊｏｉｎ」または「Ｌｅａｖｅ」）とが対応付けられている。ＣＨＸ，ＣＨＹ，・・・，ＣＨＺは、それぞれチャネルＸ，Ｙ，・・・，Ｚを表す。Ｊｏｉｎを受信したチャネルには、「Ｊｏｉｎ」のフラグが設定される。Ｌｅａｖｅを受信したチャネルには、「Ｌｅａｖｅ」のフラグが設定される。すなわち「Ｊｏｉｎ」，「Ｌｅａｖｅ」のフラグによって、端末装置５の通知したＪｏｉｎ，Ｌｅａｖｅの集約内容が表わされる。
【００７２】
図７に示されるシーケンスの例では、まず、冗長切換開始時（集約開始時）にチャネルＸを視聴中である。このときにはテーブルは空である（図８（Ａ）を参照）。次に、チャネルＸがチャネルＹに切換えられる。この場合には、チャネルＸ（ＣＨＸ）が「Ｌｅａｖｅ」フラグを伴って登録される（図８（Ｂ）を参照）。続いてチャネルＹ（ＣＨＹ）がフラグ「Ｊｏｉｎ」を伴って登録される（図８（Ｃ）を参照）。さらに、チャネルＹがチャネルＺに切換えられる。この場合、チャネルＹ（ＣＨＹ）がテーブルから削除される（図８（Ｄ）を参照）。次に、チャネルＺ（ＣＨＺ）がフラグ「Ｊｏｉｎ」を伴って登録される（図８（Ｅ）を参照）。この結果、テーブルには、チャネルＸ（ＣＨＸ）が「Ｌｅａｖｅ」フラグを伴って登録されるとともにチャネルＺ（ＣＨＺ）がフラグ「Ｊｏｉｎ」を伴って登録される（図８（Ｆ）を参照）。
【００７３】
制御部２１（図２参照）は、ＯＬＴ１ａにおける光回線ユニットの切換後に、データベースから、登録されているチャネルを検索する。チャネルＸがフラグ「Ｌｅａｖｅ」を伴って登録されており、チャネルＺ（ＣＨＺ）がフラグ「Ｊｏｉｎ」を伴って登録されている。制御部２１は、チャネルＸの受信状態を示すメッセージ（「Ｌｅａｖｅ」）と、チャネルＺの受信状態を示すメッセージ（「Ｊｏｉｎ」）とをＯＬＴ１ａに送信する。したがってメッセージが集約される。
【００７４】
図９は、ＯＮＵによるメッセージの集約処理を説明するフローチャートである。図２および図９を参照して、処理が開始されると、制御部２１は、ＯＬＴ１ａでの冗長切換（光回線ユニットの切換）が開始されたかどうかを判定する（ステップＳ１０Ａ）。
【００７５】
冗長切換が開始されたことを判定するための方法は特に限定されるものではない。たとえば、ＰＯＮシステム３０１がＳＩＥＰＯＮパッケージＢに準拠しているのであれば、ＯＮＵ２は、ＯＬＴ１ａからホールドオーバー状態への移行を指示するメッセージを受信して、冗長切換が開始されたことを判定（検出）することができる。
【００７６】
別の方法によれば、ＯＮＵ２は、ＯＬＴ１ａからの光有効信号の喪失を検出することで、冗長切換の開始を検出してもよい。あるいは、ＯＮＵ２は、ＯＬＴ１ａからのＧａｔｅフレームを受信していない時間が、ある閾値を越えた場合に、冗長切換が開始されたことを判定（検出）してもよい。
【００７７】
ＯＬＴ１ａの冗長切換が開始されていないと判定された場合（ステップＳ１０ＡにおいてＮＯ）、図９に示された処理は終了する。一方、ＯＬＴ１ａの冗長切換が開始されたと判定された場合（ステップＳ１０ＡにおいてＹＥＳ）、ＯＮＵ２（制御部２１）は、端末装置５からのメッセージを集約する（ステップＳ１０)。端末装置５からメッセージが複数回送信された場合には、それらのメッセージに応じて、制御部２１は、記憶部２４に記憶されるデータベースを更新する。なお、端末装置５からメッセージが送信されるとデータベースが更新される。したがって、ステップＳ１０の集約処理は、端末装置５からメッセージが複数回送信される場合に限定されず、端末装置５からメッセージが１回のみ送信される場合も含む。
【００７８】
次に、制御部２１は、ＯＬＴ１ａの冗長切換（光回線ユニットの切換）が終了したかどうかを判定する（ステップＳ１０Ｂ）。光回線ユニットの切換が開始されたことを判定するための方法は特に限定されるものではない。たとえば、上記のように、ＰＯＮシステム３０１がＳＩＥＰＯＮパッケージＢに準拠している場合であれば、ＯＮＵ２は、ＯＬＴ１ａからホールドオーバー状態の終了を指示するメッセージを受信することにより、冗長切換が終了したことを判定（検出）してもよい。あるいは、ＯＮＵ２は、ＯＬＴ１ａからＧａｔｅフレームを再び受信することにより、切換が終了したことを判定（検出）してもよい。
【００７９】
冗長切換が終了していないと判定された場合（ステップＳ１０ＢにおいてＮＯ）、処理はステップＳ１０に戻される。すなわち、冗長切換が終了するまで、ＯＮＵ２は、端末装置５からのメッセージを集約する。一方、冗長切換が終了したと判定された場合（ステップＳ１０ＢにおいてＹＥＳ）、ＯＮＵ２（制御部２１）は、集約したメッセージをＯＬＴ１ａに送信する（ステップＳ１１）。
【００８０】
ステップＳ１１の処理が終了すると、図７に示される全体の処理が終了する。
このように実施の形態１では、ＯＮＵ２が、ＯＬＴ１ａの冗長切換（光回線ユニットの切換）後に、ＯＬＴ１ａの一部の機能（ＭＬＤプロキシの一部の機能）を実行する。具体的には、ＯＮＵ２は、集約されたメッセージをＯＬＴ１ａに送信することで、ＯＮＵ２の転送状態と端末装置５の受信状態とを整合させる。
【００８１】
ＯＬＴ１ａの冗長切換により、ＯＬＴ１ａのマルチキャスト状態と、ＯＮＵ２の転送状態（ＭＡＣアドレスフィルタの設定）と、端末装置５の受信状態との間に不一致が生じる可能性がある。ＯＬＴ１ａの冗長切換のタイミングにおいて、ＯＮＵ２は、ＯＮＵ２の転送状態と端末装置５の受信状態とを整合させる。具体的には、ＯＮＵ２は端末装置５からのメッセージを集約して送信する。これにより、切換先の光回線ユニットに、端末装置５の正確な受信状態を伝えることができる。
【００８２】
ＯＬＴ１ａのマルチキャスト状態と、ＯＮＵ２の転送状態と、端末装置５とを整合させることができるので、マルチキャストサービスの円滑な提供を実現できる。たとえば、ユーザが端末装置５の側でチャネルを切り換えた場合に、切換後のチャネルのコンテンツを端末装置５において再生することができる。
【００８３】
さらに、実施の形態１によれば、ＯＬＴ１ａの冗長切換の間に端末装置５から複数のメッセージが送信された場合、ＯＮＵ２（制御部２１）は、そのメッセージを集約する。別の方法としては、ＯＮＵ２が、端末装置５から送られた複数のメッセージをバッファメモリに蓄積することが考えられる。しかし、たとえばバッファメモリの容量が小さく、かつメッセージの数が多い場合には、ＯＮＵ２において端末装置５からのメッセージを取りこぼす可能性がある。この実施の形態によれば、ＯＮＵ２は、端末装置５からのメッセージを一旦集約する。具体的には、記憶部２４におけるデータベースが更新される。これにより、メッセージの取りこぼしを防ぐことができる。この結果、切換先の光回線ユニットに、端末装置５の正確な受信状態を伝えることができる。
【００８４】
さらに、ＭＬＤプロキシの全機能をＯＮＵ２に実装するためには、たとえばタイムアウトを検出するためのタイマ等が必要となる。しかしながら、この実施の形態によれば、ＭＬＤプロキシの機能のうち、必要な機能を選択してＯＮＵ２に実装することができる。これにより、ＯＮＵ２に実装されるソフトウェアあるいは回路の規模が増大するのを抑えることができる。したがって、たとえばＯＮＵ２のコストの増大を抑えることができる。
【００８５】
なお、上記の処理では、端末装置５からのメッセージの集約は、光回線ユニットの切換開始を検出したときに開始される。ただしメッセージの集約は、光回線ユニットの切換開始を検出する前から開始されてもよい。
【００８６】
＜実施の形態２＞
図１０は、第２の実施形態に従う、冗長構成を有する光回線ユニットの切換および、切換先の光回線ユニットの設定を説明するためのシーケンス図である。図１０を参照して、実施の形態２では、ＯＬＴ１ａにおける光回線ユニットの切換後に、ＯＮＵ２が端末装置５に対して問合せメッセージを送信する（ステップＳ２１）。ＯＮＵ２から端末装置５に送られる問合せメッセージには、たとえばＭＬＤｖ２の問合わせメッセージである、Ｇｅｎｅｒａｌ  Ｑｕｅｒｙを用いることができる。
【００８７】
端末装置５は、ＯＮＵ２からの問合せメッセージに対して現在の受信状態（視聴チャネル）を示すレポートを送信する。ＯＮＵ２は、このレポートをＯＬＴ１ａに転送する（ステップＳ２２）。冗長切換後のＯＬＴ（光回線ユニット（２））は、端末装置５からのレポートに基づいて、ＯＮＵ２に、ＭＡＣアドレスフィルタを設定するための拡張ＯＡＭフレームを送信する。
【００８８】
ＯＮＵ２は、ＯＬＴ１ａから送信された拡張ＯＡＭフレームに従って、ＭＡＣアドレスフィルタを設定する（ステップＳ２３）。これにより、ＯＮＵ２の転送状態が、端末装置５の受信状態と整合する。以後、ＯＮＵ２は、チャネルＹのマルチキャストデータを通して、端末装置５に転送する（Ｓ２４）。
【００８９】
図１１は、本発明の第２の実施形態に従う、ＯＮＵによる処理を説明するフローチャートである。図２および図１１を参照して、処理が開始されると、ＯＮＵ２の制御部２１は、ＯＬＴ１ａでの冗長切換が開始されたかどうかを判定する（ステップＳ１０Ａ）。冗長切換が開始されたと判定された場合（ステップＳ１０ＡにおいてＮＯ）、図１１に示された処理は終了する。
【００９０】
冗長切換が開始されたと判定された場合（ステップＳ１０ＡにおいてＹＥＳ）、次にＯＮＵ２（制御部２１）は、ＯＬＴ１ａの冗長切換が終了したかどうかを判定する（ステップＳ１０Ｂ）。なお、冗長切換の開始および終了を判定する方法には、実施の形態１で説明される方法と同じ方法を用いることができる。
【００９１】
ＯＬＴ１ａでの冗長切換が終了したと判定された場合（ステップＳ１０ＢにおいてＹＥＳ）、処理はステップＳ２１に進む。一方、冗長切換が終了していないと判定された場合（ステップＳ１０ＢにおいてＮＯ）、ステップＳ１０Ｂの処理が繰り返される。すなわち、ＯＬＴ１ａでの冗長切換が終了するまでステップＳ１０Ｂの処理が繰り返される。
【００９２】
ステップＳ２１において、ＯＮＵ２は、端末装置５に対して問合せメッセージを送信する。次にステップＳ２２において、ＯＮＵ２は、端末装置５からレポートを受信する。ただし、ＯＮＵ２は、このレポートを単にＯＬＴ１ａに転送する。ＯＬＴ１ａは、このレポートに基づいて、ＯＮＵ２の転送状態を変更するための（拡張）ＯＡＭフレームをＯＮＵ２に送信する。ＯＮＵ２は、このＯＡＭフレームを受信する。続いてステップＳ２３において、ＯＮＵ２は、ＯＬＴ１ａから受信したＯＡＭフレームに基づいてＭＡＣアドレスフィルタを設定する。ステップＳ２３の処理が終了すると全体の処理が終了する。
【００９３】
実施の形態２によれば、ＯＮＵ２から端末装置５に対して受信状態の問合わせを行なう。ＯＮＵ２は、端末装置５からのレポートに基づくＯＬＴ１ａからの（拡張）ＯＡＭフレームを受けて、その（拡張）ＯＡＭフレームに基づいてＭＡＣアドレスフィルタを設定する。したがって、ＯＬＴ１ａにおける冗長切換の後において、ＯＮＵ２のＭＡＣアドレスフィルタを速やかに設定することができる。端末装置５では、チャネルを切り換えてから、切り換え後のチャネルの映像を視聴できるまでの間の時間（タイムラグ）を短くすることができる。これにより高品質なマルチキャストサービスを提供することができる。
【００９４】
なお、ＯＬＴ１ａにおける冗長切換の間に端末装置５においてチャネルが切換えられた場合、端末装置５からメッセージが送信されてもよい。ＯＮＵ２は、そのメッセージを廃棄してもよく、ＯＬＴ１ａに送信してもよい。
【００９５】
＜実施の形態３＞
実施の形態３では、ＯＬＴにおいて冗長切換が生じた場合、端末装置からのメッセージを集約するだけでなく、端末装置に対する問合わせを実行する。すなわち、実施の形態３は、実施の形態１と実施の形態２とを組み合わせた形態である。
【００９６】
図１２は、第３の実施形態に従う、ＯＮＵの処理を説明するためのシーケンス図である。図１３は、第３の実施形態に従う、ＯＮＵの処理を説明するフローチャートである。
【００９７】
図１２および図１３を参照して、実施の形態１と同様に、端末装置５は、視聴チャネルをチャネルＸからチャネルＹ、チャネルＺへと順次切り替える。ＯＮＵ２は、端末装置５からの４つのメッセージを順次受けて、これらのメッセージを集約する（Ｓ１０）。ＯＬＴ１ａでの冗長切換（光回線ユニットの切換）の後に、ＯＮＵ２は、集約されたメッセージをＯＬＴ１ａに送信する（Ｓ１１）。ＯＬＴ１ａは、ＯＮＵ２に対してＭＡＣアドレスフィルタを設定する（Ｓ１２）。
【００９８】
さらにＯＮＵ２は、端末装置５に対して問合せメッセージを送信する（ステップＳ２１）。端末装置５は、ＯＮＵ２からの問合せメッセージに対して現在の受信状態を示すレポートを送信する。ＯＮＵ２は、このレポートをＯＬＴ１ａに転送する（ステップＳ２２）。ＯＬＴ１ａは、このレポートに基づいて、ＯＮＵ２にＭＡＣアドレスフィルタを設定する（ステップＳ２３）。
【００９９】
なお、他のステップの処理は、実施の形態１または実施の形態２で説明された処理と同様であるので以後の説明は繰り返さない。
【０１００】
実施の形態３によれば、ＯＮＵ２のＭＡＣアドレスフィルタを、より正確に設定することができる。
【０１０１】
なお、図１２および図１３に示す処理において、ステップＳ１１の処理とステップＳ２１の処理との順序が逆になってもよい。ただし、上記のように、ステップＳ２２において、ＯＮＵ２は、問合わせメッセージに対する端末装置５からのレポートを処理せずにＯＬＴ１ａに転送する。
【０１０２】
また、本発明の実施の形態では、ＯＬＴの冗長化の１つの形態として、１つのＯＬＴの内部が冗長化された形態を示した。しかしながら、複数のＯＬＴ（たとえば２つのＯＬＴ）を用いることでＯＬＴが冗長化されていてもよい。このような構成に対しても本発明は適用可能である。
【０１０３】
＜付記＞
本発明の実施の形態は、（１）〜（６）に列記した形態に加えて、以下に付記する形態も含むことができる。
【０１０４】
（付記１）
上記（６）に記載された宅側装置の制御方法は、局側装置の冗長切換の間に端末装置の受信状態を表わすメッセージを受けると、そのメッセージを集約するステップ（Ｓ１０）と、局側装置の冗長切換の後に、集約されたメッセージを送信するステップ（Ｓ１１)とをさらに備える。
【０１０５】
（付記２）
上記の集約するステップ（Ｓ１０）において、宅側装置は、宅側装置に設けられた記憶部に記憶された、端末装置の受信状態に関する情報に基づいて、メッセージを集約する。
【０１０６】
（付記３）
上記（６）、付記１または付記２に記載された宅側装置の制御方法は、局側装置の冗長切換の後に、端末装置に受信状態を問合わせるステップ（Ｓ２１）と、端末装置からの受信状態についての回答（Ｓ２２）に基づく局側装置からの指示（ＯＡＭフレーム）に応じて転送状態を設定するステップ（Ｓ２３）とをさらに備える。
【０１０７】
今回開示された実施の形態はすべての点で例示であって、制限的なものではないと考えられるべきである。本発明の範囲は上記した説明ではなく特許請求の範囲によって示され、特許請求の範囲と均等の意味、および範囲内でのすべての変更が含まれることが意図される。
【符号の説明】
【０１０８】
１ａ  局側装置（ＯＬＴ）、２  宅側装置（ＯＮＵ）、３−１〜３−Ｎ  ＰＯＮ回線、４−１〜４−Ｎ  光カプラ、５  端末装置、６  上位ネットワーク、７  ルータ、８  映像配信サーバ、１１ａ  光スイッチ、１２−１〜１２−Ｎ＋１  光回線ユニット（ＯＳＵ）、１３ａ  集線部、１４  制御部（ＯＬＴ）、２１  制御部（ＯＮＵ）、２２  送信部、２３  受信部、２４  記憶部、３１  光回線、３２  宅側ネットワーク、３０１  ＰＯＮシステム、Ｓ１〜Ｓ４，Ｓ１０，Ｓ１０Ａ，Ｓ１０Ｂ，Ｓ１１，Ｓ２１〜Ｓ２３，Ｓ１０１〜Ｓ１０５  ステップ、Ｘ，Ｙ，Ｚ  チャネル。
【図１】
2015088815.tif 000003
【図２】
2015088815.tif 000004
【図３】
2015088815.tif 000005
【図４】
2015088815.tif 000006
【図５】
2015088815.tif 000007
【図６】
2015088815.tif 000008
【図７】
2015088815.tif 000009
【図８】
2015088815.tif 000010
【図９】
2015088815.tif 000011
【図１０】
2015088815.tif 000012
【図１１】
2015088815.tif 000013
【図１２】
2015088815.tif 000014
【図１３】
2015088815.tif 000015